(57)【要約】【課題】本発明の目的は、ヘアカッターの取扱いを改善すること、特に熟練度の低いユーザにとってのヘアカッターの扱いを容易にする。【解決手段】本発明によるヘアカッター（１）は、グリップ（１０）と、グリップ（１０）に接続されたカッターヘッド（２）とを備える。カッターヘッド（２）の１つの長手方向面（１２）に配置され、長手方向面（１２）の位置合わせライン（１２０）に対して後退した少なくとも１つの作業部（３）を備える。少なくとも１つのカット縁（１４）を有する髪切刃（４）は、カッターヘッド（２）内に収容され、そのカット縁（１４）の少なくとも一部が作業部（３）において露出し、位置合わせライン（１２０）を越えて突出しないように配置される。カッターヘッド（２）は、トリミングされる髪のための少なくとも１つの載置面（１５）を有するガイド部（５）を含む。【選択図】図１
2020512174.tif 000002
【特許請求の範囲】
【請求項１】
毛髪、特に頭髪をトリミングしスタイリングするためのヘアカッター（１）であって、
少なくとも１つのグリップ（１０）と、
前記グリップ（１０）に接続された少なくとも１つのカッターヘッド（２）と
を有し、
前記カッターヘッド（２）の少なくとも１つの長手方向面（１２）に、前記長手方向面（１２）の位置合わせライン（１２０）から窪んで配置された少なくとも１つの作業部（３）が設けられ、
少なくとも１つのカット縁（１４）を有する少なくとも１つの髪切刃（４）は、前記カッターヘッド（２）内に収容され、前記作業部（３）内の前記カット縁（１４）が前記位置合わせライン（１２０）を越えて突出しないように、少なくとも部分的に露出され、
前記カッターヘッド（２）は、少なくとも１つのガイド装置（５）を有し、
前記ガイド装置（５）は、髪を刈り込むための少なくとも１つの載置面（１５）を有し、
前記載置面（１５）が髪に適用された場合に、髪が前記カット縁（１４）に対して所定の角度でカットされるように、前記載置面（１５）が、前記カッターヘッド（２）内に収容可能な前記髪切刃（４）の平面に対して１６°〜２６°の角度で少なくとも部分的に配置されることを特徴とするヘアカッター（１）。
【請求項２】
少なくとも１つの前記髪切刃を有する、請求項１に記載のヘアカッター。
【請求項３】
前記載置面（１５）は、前記カッターヘッド（２）に収容された前記髪切刃（４）の平面に対して２１°の角度で少なくとも部分的に配置される、請求項１又は２に記載のヘアカッター（１）。
【請求項４】
前記載置面（１５）と前記カッターヘッド（２）とは、互いに一体として接続され、
前記載置面（１５）は、前記カッターヘッド（２）のくさび形状により設けられている、請求項１乃至３の何れか１項に記載のヘアカッター（１）。
【請求項５】
前記載置面（１５）は、前記カッターヘッド（２）の凸形状により設けられている、請求項１乃至４の何れか１項に記載のヘアカッター（１）。
【請求項６】
前記カッターヘッド（２）は、２つの側面（２２、３２）、すなわち前面（２２）及び後面（３２）とを有し、
２つの前記側面（２２、３２）は、それぞれ少なくとも１つの前記載置面（１５）を有し、
前記載置面（１５）は、共通の前記作業部（３）に割り当てられている、請求項１乃至５の何れか１項に記載のヘアカッター（１）。
【請求項７】
前記カッターヘッド（２）は、２つの側面（２２、３２）、すなわち前面（２２）及び後面（３２）を有し、
各側面（２２、３２）は、少なくとも２つの前記載置面（１５）を有し、
各載置面は、前記カッターヘッド（２）の対向する前記長手方向面（１２）上の異なる前記作業部（３）に割り当てられている、請求項１乃至６の何れか１項に記載のヘアカッター（１）。
【請求項８】
前記カッターヘッド（２）内の前記髪切刃（４）を位置合わせするための少なくとも１つの調整装置（６）を有し、
前記調整装置（６）は、前記髪切刃（４）内の少なくとも１つの凹部（１６）と、少なくとも長手方向及び／又は少なくとも長手方向を横切る方向への前記髪切刃（４）の移動を禁止するように、前記凹部（１６）に少なくとも部分的に係合する前記カッターヘッド（２）内の少なくとも１つの調整ユニット（２６）とを有する、請求項１乃至７の何れか１項に記載のヘアカッター（１）。
【請求項９】
凹部（１６）は、前記髪切刃（４）の長手方向に延び、かつ長方形の形状の少なくも１つの長穴（３６）として形成される、請求項１乃至８の何れか１項に記載のヘアカッター（１）。
【請求項１０】
前記調整装置（６）が、前記カッターヘッド（２）に配置され、かつ前記髪切刃（４）の外形の少なくとも一部に対応する少なくとも１つの受容部（８６）を備える、請求項８又は９記載のヘアカッター（１）。
【請求項１１】
長穴（３６）は、前記髪切刃（４）の長さ（３４）の３分の２より長い長さ（４６）を示し、及び／又は
前記長穴（３６）は、前記髪切刃（４）の幅（２４）の３分の１未満の幅（５６）を示す、請求項８乃至１０の何れか１項に記載のヘアカッター（１）。
【請求項１２】
前記調節ユニット（２６）は、少なくとも３つの隆起部（６６）を有し、
少なくとも２つの前記隆起部（６６）は、前記長穴（３６）の端部に配置され、少なくとも１つの前記隆起部（６６）は、前記長穴（３６）の間に配置される、請求項８に記載のヘアカッター（１）。
【請求項１３】
前記カッターヘッド（２）は、少なくとも１つの第１のカッターヘッド部材（１２１）と、それに着脱可能に結合する少なくとも１つの第２のカッターヘッド部材（１２２）とを含む、少なくとも２つのカッターヘッド部材（１２１、１２２）を有し、
前記髪切刃（４）は、前記カッターヘッド部材（１２１、１２２）の間に位置し、
少なくとも１つの接続部（１７、２７）は、前記カッターヘッド部材（１２１、１２２）のそれぞれから突出し、
前記第１のカッターヘッド部材（１２１）の接続部（１７）は、前記第２のカッターヘッド部材の接続部（２７）の下に挿入され、またその逆も同様に挿入されることで、前記接続部（１７、２７）は互いにくさび状に固定され、前記髪切刃（４）は、前記カッターヘッド部材（１２１、１２２）の間に固定される請求項１乃至１２の何れか１項に記載のヘアカッター（１）。
【請求項１４】
少なくとも１つの前記接続部（１７、２７）、好ましくは両方の前記接続部（１７、２７）が、前記髪切刃（４）の凹部（１６）を少なくとも部分的に貫通して延在する、請求項１乃至１３の何れか１項に記載のヘアカッター（１）。
【請求項１５】
前記第１のカッターヘッド部材（１２１）は、その側面（１２３）に、前記第２のカッターヘッド部材（１２２）の少なくとも突起（４７）が挿入される少なくとも１つの切欠部（３７）を有する、請求項１２又は１３に記載のヘアカッター（１）。
【請求項１６】
前記髪切刃（４）の前記カット縁（１４）は、前記カッターヘッド（２）の長手方向軸（４２）に対して０.５°〜６°の角度で配置され、その端部、特に前記調整ユニット（２６）は、前記カッターヘッド（２）の長手方向軸（４２）に対してそのような角度で配置される、請求項８に記載のヘアカッター（１）。
【請求項１７】
前記長手方向面（１２）の前記位置合わせライン（１２０）に直交して伸びる線分（２００）が、作業部（３）が最も深く凹んだ、前記髪切刃（４）において前記載置面（１５）が最も深く位置する谷点（２０１）と、前記髪切刃（４）において前記載置面（１５）が最も高く位置する山点（２０２）との間で、前記髪切刃（４）の平面に対して１２°〜２３°、特に１６°〜１８°の角度を示す、１乃至１６の何れか１項に記載のヘアカッター（１）。
【請求項１８】
前記載置面（１５）の少なくとも一部が、前記谷点（２０１）と前記山点（２０２）との間において、前記髪切刃（４）の平面に対して、１２°〜３０°、特に２０°〜２２°の角度を示す、請求項１７に記載のヘアカッター（１）。
【請求項１９】
前記載置面（１５）は、少なくとも１つの第１の載置部（１５１）と、後方において、長手方向軸（４２）を横切る少なくとも１つの第２の載置部（１５２）とを有し、
前記第１の載置部（１５１）は、前記第２の載置部（１５２）よりも露出したカット縁（１４）に近接して配置され、前記第１の載置部（１５１）は、前記第２の載置部（１５２）よりも大きな角度を示している、請求項１に記載のヘアカッター（１）。
【請求項２０】
前記第１の載置部（１５１）は、１９°〜２３°の角度を示し、及び／又は、
前記第２の載置部（１５２）は、１２°〜１５°の角度を示す、請求項１９に記載のヘアカッター（１）。
【請求項２１】
前記第１の載置部（１５１）は、前記載置面（１５）の幅の半分未満に渡って延び、及び／又は、
前記第２の載置部（１５２）は、前記載置面（１５）の幅の半分以上に渡って延びる、請求項１９又は２０に記載のヘアカッター（１）。
【請求項２２】
前記第１の載置部（１５１）及び／又は前記第２の載置部（１５２）は、少なくとも一部がドーム状である、請求項１８乃至２１の何れか１項に記載のヘアカッター（１）。
【請求項２３】
前記作業部（３）に隣接する長手方向の少なくとも一方の側に、少なくとも１つの第３の載置部を有し、
前記第３の載置部は、前記カッターヘッド（２）において対角線上に実質的に伸びる隆起部（５２）と、前記長手方向面（１２）において、前記長手方向面（１２）が厚みを増す部分との間に延びる、請求項１８乃至２２の何れか１項に記載のヘアカッター（１）。
【請求項２４】
前記カッターヘッド（２）が前記髪切刃（４）のための少なくとも１つの受容面（６２）を有し、
前記髪切刃（４）の少なくとも１つの側面（４４）の少なくとも１／４以上が前記受容面（６２）に当接し、及び／又は、
前記髪切刃（４）が複数の接触点で前記受容面（６２）に当接する、請求項１乃至２３の何れか１項に記載のヘアカッター（１）。
【請求項２５】
前記カッターヘッド（２）は、側面のうちの少なくとも１つに対して凹んだ少なくとも１つの凹部（７２）を有し、
前記髪切刃（４）が、そこから露出する、請求項１乃至２４の何れか１項に記載のヘアカッター（１）。
【請求項２６】
前記受容面（６２）は、前記作業部（３）に隣接して配置され、
前記凹部（７２）は、前記作業部（３）から離間して配置されている、請求項２４又は２５に記載のヘアカッター（１）。
【請求項２７】
前記グリップ（１０）の長手方向軸は、前記髪切刃と同一の平面内に延びる、請求項１乃至２６の何れか１項に記載のヘアカッター（１）。
【請求項２８】
前記グリップ（１０）及び前記カッターヘッド（２）は、前記グリップ（１０）内に配置された少なくとも１つの共通のバランスポイント（２０）を有する、請求項１乃至２７の何れか１項に記載のヘアカッター（１）。
【請求項２９】
少なくとも１つのバランスウェイト（９）が、前記グリップ（１０）及び／又は前記カッターヘッド（２）内に収容され得る、請求項１乃至２８の何れか１項に記載のヘアカッター（１）。
【請求項３０】
少なくとも２つの前記カット縁（１４）と、前記髪切刃（４）を前記カッターヘッド（２）に位置合わせするための調整装置（６）に用いられる少なくとも１つの凹部（１６）を有し、
前記髪切刃（４）の幅（２４）は、長さ（３４）の半分以下に対応する、特に請求項１乃至２９の何れか１項に記載のヘアカッター（１）用の髪切刃（４）。
【請求項３１】
長方形の外形を示し、特に丸みを帯びた角を有する長方形の輪郭を有する、請求項３０に記載の髪切刃（４）。
【請求項３２】
前記凹部（１６）は、長方形の長孔（３６）として構成されている、請求項３０又は３１に記載の髪切刃（４）。
【請求項３３】
前記凹部（１６）は、前記髪切刃（４）の幅（２４）の２０％を超え、前記髪切刃（４）の長さ（３４）の７５％を超えて延びる、請求項３０乃至３２の何れか１項に記載の髪切刃（４）。
【発明の詳細な説明】
【技術分野】
【０００１】
本発明は、少なくとも１つのグリップと、前記グリップに接続された少なくとも１つのカッターヘッドとを有し、髪をトリミング、スタイリングするためのヘアカッターに関する。カッターヘッドは、少なくとも１つのカット縁を有する少なくとも１つの髪切刃を収容する。
【背景技術】
【０００２】
頭髪をヘアカッターでカットすることは、はさみでカットすることに比べて、原則として多くのメリットがある。しかしながら、ヘアカッターを取り扱うには、髪に対するカッターの高度に制御された位置決め又は案内が必要である。特に重要なのは、カット中にヘアカッターが髪に当たる角度である。したがって、実際には、ヘアカッターを取り扱うには、強力で専門的な教育および広範な練習または経験が必要となる傾向がある。
【０００３】
そこで、ＤＥ  １０  ２０１０  ００６  ０３０  Ｂ４に記載のヘアカッターは、ヘアカッターの長手方向軸に対してブレードの長手方向軸の角度配向を提示している。これにより、ヘアカッターの縦軸が毛髪に対してまっすぐに保持されていても、傾斜したカットが可能となる。
【先行技術文献】
【特許文献】
【０００４】
【特許文献１】ＤＥ  １０  ２０１０  ００６  ０３０  Ｂ４
【発明の概要】
【発明が解決しようとする課題】
【０００５】
しかしながら、実際には、このヘアカッターの取り扱いは、最適なカット結果を得るためには、依然として高度な経験または実践が必要とされる。
【０００６】
従って、本発明の目的は、ヘアカッターの取扱いを改善すること、特に熟練度の低いユーザにとってのヘアカッターの扱いを容易にすることである。
【課題を解決するための手段】
【０００７】
この目的は、請求項１の特徴を有するヘアカッターと、請求項３１の特徴を有する髪切刃とによって解決される。好ましい特徴は、従属請求項の主題である。さらなる利点および特徴は、本発明の一般的な説明および例示的な実施形態の説明から明らかになる。
【０００８】
本発明は、毛髪、特に頭髪をトリミング及びスタイリングするために使用され、少なくとも１つのグリップと、グリップに接続された少なくとも１つのカッターヘッドとを有する。カッターヘッドの少なくとも１つの長手方向面に、長手方向面の位置合わせラインから窪んで配置された少なくとも１つの作業部が設けられている。少なくとも１つのカット縁を有する少なくとも１つの髪切刃は、前記カッターヘッド内に収容される。髪切刃は、作業部において、カット縁が少なくとも部分的に露出され、位置合わせラインを超えて突出しないように、それぞれ位置合わせラインから後退したカッターヘッド内に配置されることができる。カッターヘッドは、トリミングされる毛髪のための少なくとも１つの載置面を有する少なくとも１つのガイド装置を備える。載置面は、カッターヘッドに収容可能な髪切刃の平面に対して、少なくとも１２°より大きい角度、特に３０°より小さい角度、好ましくは２６°より小さい角度、特に好ましくは１６°〜２６°の角度で、少なくとも部分的に配置される。これにより、トリミングされる毛髪は、載置面が毛髪に当たるように、カット縁に対して所定の角度で位置することが達成される。
【０００９】
好ましくは、ヘアカッターは、少なくとも１つの髪切刃を含む。
【００１０】
特に好ましいヘアカッターは、髪、特に頭髪をトリミング及びスタイリングするために使用され、少なくとも１つのグリップと、グリップに接続された少なくとも１つのカッターヘッドとを有する。カット縁の少なくとも１つの長手方向面に、長手方向面の位置合わせラインから窪んで配置された少なくとも１つの作業部が設けられている。少なくとも１つのカット縁を有する少なくとも１つの髪切刃は、前記カッターヘッド内に収容される。髪切刃は、作業部において、カット縁が少なくとも部分的に露出され、位置合わせラインを超えて突出しないように、それぞれ位置合わせラインから後退したカッターヘッド内に配置されることができる。カッターヘッドは、トリミングされる毛髪のための少なくとも１つの載置面を有する少なくとも１つのガイド装置を備える。載置面は、カッターヘッドに収容される髪切刃の平面に対して、１２°を超える角度、特に３０°未満、好ましくは最大２６°の角度で少なくとも部分的に配置される。これにより、トリミングされる毛髪は、載置面が毛髪に当たるように、カット縁に対して所定の角度で位置することが達成される。
【００１１】
本発明のヘアカッターは多くの利点を提供する。考え得る利点としては、カッターヘッドが、少なくとも１つの載置面を有する少なくとも１つのガイド装置を有することである。載置面は、ヘアカッターを毛髪に対して特に有利な角度で髪切刃の平面に配向させる。これにより、ヘアカッターの載置面を髪の上に置くだけで、所定の最適な切断角度を得ることができる。従って、本発明のヘアカッターは、広範な練習や経験が少ないユーザによってさえも、かなり改善されたトリミング結果を達成することを可能にする。
【００１２】
別の特別な利点は、髪が最適にカットされる、１２°を超える角度である。この角度により、髪がカットされ、より多くの動き、徳にボリュームのある髪型が得られる。別の特別な利点は、３０°未満の角度である。本発明の角度範囲は、髪を薄くし、平らな髪型を避けることができる。一方で、切れ味が鈍すぎることが確実に回避される。髪が裂ける、その他の望ましくない切断結果が確実に抑制される。また、誤って使用した場合や経験のない人がヘアカッターを使用した場合でも、載置面で定まる角度よりも小さな角度にならないという利点もある。
【００１３】
少なくとも加工部における露出した切刃の領域において、載置面は、特に、カッターヘッド内に収容された髪切刃の平面に対して１２°よりも大きく、特に３０°よりも小さく、好ましくは最大２６°の角度で配置される。作業部では、毛髪が正しい角度でガイドされることが特に重要である。少なくとも作業部において露出したカット縁の領域において、載置面は、カッターヘッドに収容された髪切刃の平面に対して本発明によって提供される角度で配置される。また、載置面は、カット縁に収容された髪切刃の平面に対して、本発明によって提供される角度で、少なくとも１つの他の領域またはさらなる領域に配置されてもよい。
【００１４】
好ましくは、前記載置面は、少なくとも部分的に、特に、前記作業部において露出されたカット縁の領域において、カッターヘッドに収容された髪切刃の平面に対して実質的に２１°、特に２１°の角度で配置される。この角度は、ヘアをスタイリングするのに特に有利であることが分かっている。
【００１５】
載置面は、少なくとも部分的に、１２°、１３°、１４°、１５°、１６°、１７°、１８°、１９°または２０°を超える角度で配置されてもよい。すべての実施形態において、角度は５°以上であることが好ましい。載置面は、少なくとも部分的に、３０°、２９°、２８°、２７°、２６°、２５°、２４°、２３°または２２°未満の角度で配置されてもよい。これらの角度は、カット及びヘアスタイリング試験において特に有利であることが分かっている。有利な構成では、例えば０.５°等のグラデーションが提供されてもよい。
【００１６】
特に好ましくは、載置面は、カッターヘッドに収容された髪切刃の平面に対して１３°〜２９°の角度で配置されている。載置面は、少なくとも部分的に、１４°〜２８°の角度で、特に髪切刃の平面に対して１５°〜２７°の角度で配置されてもよい。
【００１７】
他の有利な構成では、載置面は、少なくとも１６°〜２６°の角度で、特に１８°〜２４°の角度で、好ましくは、２０°〜２２°の角度で髪切刃の平面に対して配置されてもよい。
【００１８】
好ましくは、載置面は、髪切刃の平面に対して＋／−１°、好ましくは＋／−０.５°、特に好ましくは＋／−０.２°の角度偏差で２１°の角度の断面で少なくとも配置される。また、＋／−２°の偏差も可能であり、有利である。載置面は、この角度から外れた別の角度で配置されてもよい。偏差角度は、髪切刃の平面に対して１２°〜３０°であることが好ましい。
【００１９】
載置面とカッターヘッドとが一体に構成されていることが好ましい。これは、特に、載置面がカッターヘッドに組み込まれていることを意味する。好ましくは、載置面及びカッターヘッドは、互いに一体的に接合して構成される。載置面及びカッターヘッドは、好ましくは１つの単一材料、鋳造構成要素によって提供される。金属鋳造成分が特に好ましい。
【００２０】
２つ以上の載置面を設けることができる。２つ以上の載置面は、カッターヘッドと一体的に、好ましくは１つの単一材料で構成されてもよい。カッターヘッドは、２つ以上のカッターヘッド部材を備えるか、またはそれによって形成されることが可能である。いずれの場合も、少なくとも１つの載置面がカッターヘッド部材に一体化されていることが好ましい。特に好ましくは、少なくとも１つの載置面は、カッターヘッド部材と一体的に１つの単一材料で構成される。特に好ましくは、各カッターヘッド部材は、金属鋳造部品として構成される。少なくとも１つの載置面は、１つのカッターヘッド部材からそれぞれカッターヘッドとは別に構成されていてもよい。
【００２１】
載置面は、特に、カッターヘッドのくさび形状及び／又は凸形状によって提供される。これにより、要求される載置面の角度が確実に維持され、非常に精度が高く費用効果の高いカッターヘッドを製造できる。カッターヘッドの断面は、くさび形及び／又は凸形状に構成される。ただし、載置面を、カッターヘッドと独立した構成要素とすることも可能である。ブレードヘッド及び／又は載置面は、２ピース及び／又は複数の部品で構成することもできる。
【００２２】
好ましい構成では、カッターヘッドは、２つの側面、特に前面および後面を含む。
【００２３】
特に、少なくとも１つの載置面は、２つの側面のそれぞれに延在する。これらの少なくとも２つの載置面は、特に、１つの共通の作業部に共に割り当てられる。これは、ユーザが頭の周りを歩いたり、ヘアカッターを回転させたりすることなく、頭の左右のサイドをトリミングできるという利点がある。特に、共用の作業部に割り当てられた少なくとも２つの載置面は、カッターヘッドに収容された髪切刃の平面に対して同じ角度を示す。
【００２４】
好ましくは、少なくとも２つの載置面が、各カッターヘッドの各側面に配置される。１つの側面の載置面は、特にカッターヘッドの長手方向の両側に配置された異なる作業部に割り当てられる。異なる側面の載置面は、特に、異なる作業部であり、カッターヘッドの長手方向の両側に配置された異なる作業部に割り当てられ、したがって、カッターヘッドを単に回転させることにより、載置面を一方から他方に切り替えることができる。特に、少なくとも１つの高さは、１つの側面に配置された少なくとも２つの載置面の間に延在する。特に、異なる作業部に割り当てられた少なくとも２つの載置面は、カッターヘッドに収容された髪切刃の平面に対して同じ角度を示す。
【００２５】
特に有利な構成では、２つの載置面は、２つの側面のそれぞれに延在する。異なる側面にそれぞれ配置された一対の載置面は、特に、１つの共用の作業部に割り当てられる。側面の２つの載置面は、特にカッターヘッドの長手方向の両側に配置された異なる作業部に割り当てられる。特に好ましくは、側面の２つの載置面は、カッターヘッドを横切って延びる少なくとも１つの高さによって互いに分離される。
【００２６】
特に、４つの載置面のすべては、カッターヘッド内に収容される髪切刃の平面に対する角度に関して、実質的に同一の構成を有する。このようなヘアカッターは、カッターの作業部が過負荷になることなく、複数の切断位置が利用できるので、特に取り扱いが容易である。特に、少なくとも４つの載置面が、少なくとも２つの作業部に設けられる。作業部及び／又は載置面は、同一であってもよく、または構成が異なっていてもよい。載置面は、例えば、異なる幾何学的形状、特に異なる角度を有してもよい。作業部は、例えば、カット縁の長手方向面に沿って程度の異なる凹および／又は異なる長さを有することができる。好ましくは、載置面および作業部は、類似または同一に構成される。
【００２７】
特に好ましくは、側面の載置面は、特に横方向に、例えばカッターヘッドを横切って斜めに延びる少なくとも１つの隆起部によって互いに分離される。これには、側面に２つの載置面があるという利点がある。作業部は、未使用領域が載置面に沿った毛髪の滑りを妨げることなく配置される。また、隆起部は、カッターヘッドを横切って長手方向に延在してもよい。この隆起部は、少なくとも部分的に直線状であってもよく、及び／又は少なくとも部分的に湾曲してもよい。隆起部は、例えば、山状に構成される。
【００２８】
髪切刃の幅は、髪切刃の長さの最大半分に対応することが好ましい。髪切刃の幅は、特に２０ｍｍ未満である。この構成は、多くの利点を提供し、例えば、カッターヘッドを狭くすることができるので、特に軽量のカッターヘッドを実現できる。髪切刃の幅をわずかに増加させてもカット縁の総重量がかなり増加するため、これは、くさび形状のカッターヘッドにとって特に重要である。髪切刃の面に対する載置面の好ましい角度のため、髪切刃の場合、２０ｍｍが特に有利であることが示されている。
【００２９】
髪切刃の幅は、特に１９ｍｍ未満である。１８ｍｍ未満、特に１７ｍｍ未満の幅も同様に可能である。または、髪切刃は、１６ｍｍ未満、特に１５ｍｍ未満の幅を有してもよい。または、髪切刃は、２０ｍｍ以上、例えば２１ｍｍ以上、２２ｍｍ以上、または２３ｍｍ以上の幅を有してもよい。髪切刃はまた、２５ｍｍ以上または２８ｍｍ以上の幅を有してもよい。
【００３０】
髪切刃の幅と長さの比は、特に、少なくとも１:２、好ましくは少なくとも１:２.２、又は少なくとも１:２.２５、又は特に好ましくは少なくとも１:２.２９である。または、幅と長さの比は、少なくとも１:２.３または１:２.４または少なくとも１:２.５以上であってもよい。このような幅と長さの比は、特に軽量で、人間工学に基づいたアカッターを可能にする。
【００３１】
有利な構成では、ヘアカッターは、髪切刃をカッターヘッドに位置合わせするための少なくとも１つの調整装置を含む。調節装置は、髪切刃に少なくとも１つの凹部を備えることが好ましい。特に、凹部は、円周方向に閉じている。調整装置は、好ましくは、凹部に少なくとも部分的に係合するカッターヘッド内の少なくとも１つの調整ユニットを備える。調節装置により、特に、少なくとも長手方向及び／又は少なくとも長手方向を横切る方向において、髪切刃の可動性が禁止される。特に、髪切刃は、調節ユニットを少なくとも部分的に形状に適合するように取り囲んでいる。髪切刃は、長手方向及び／又は長手方向を横切る凹部を有する調整ユニットを支える。したがって、ブレードを非常に正確に位置合わせすることができ、同時に安価で、カット中の不要な遊びを確実に回避することができる。さらに、この調整装置は、迅速かつスムーズなブレード交換を可能にする。
【００３２】
髪切刃の凹部は、好ましくは、少なくとも１つの長穴として構成される。長穴は、特に髪切刃の長手方向に延びている。長穴は、特に長方形の形状である。細長い穴は、特に、円周方向に閉じられている。この凹部は、特に生産において経済的であり、同時に、カッターヘッド内で髪切刃を正確で信頼性高く位置合わせすることを可能とする。凹部は、特に、髪切刃の中央に配置される。または、髪切刃において、凹部の他の幾何学的形状及び／又は凹部の他の向きも可能である。凹部は、異なる幅及び／又は長さ、及び／又は曲線及び／又は多角形の部分を含んでもよい。または、２つ以上の凹部、特に２つ以上の長穴が設けられてもよい。
【００３３】
凹部は、特に、髪切刃の長さの半分以上、好ましくは４分の３以上、特に好ましくは８０％以上に延在する。
【００３４】
凹部、特に長穴は、髪切刃の長さの２／３以上の長さを有することが好ましい。同様に、凹部、特に長穴は、髪切刃の幅の１／３未満の幅を有することが好ましい。好ましくは、凹部は、特に長穴は、髪切刃の幅の２０％を超える幅を有する。これは、信頼性の高い位置合わせを可能とし、同時に、髪切刃が好ましくないほど弱くなることがない。凹部は、より短くてもよく、及び／又はより広くてもよく、またはより狭くてもよい。
【００３５】
特に、調節ユニットは、少なくとも２つ、好ましくは少なくとも３つの隆起部を含む。特に、少なくとも２つの隆起部が、長穴の端部に配置される。特に、少なくとも１つの隆起部が、その間に配置される。これにより、ブレードの移動が確実に回避され、カットパターンがさらに改善される。隆起部は、凹部を少なくとも部分的に貫通して延在する。
【００３６】
特に、調節装置は、カッターヘッド内に配置された少なくとも１つの受容面を含む。受容面は、少なくとも部分的に、髪切刃の外側輪郭をなぞる。特に、受容面は、長方形であり、髪切刃の長方形の外側輪郭に沿うことができる。このような受容面は、堅く密着した外形のため、髪切刃に適合し、またその製造は非常に低コストである。
【００３７】
好ましい実施形態では、カッターヘッドは、少なくとも２つのカッターヘッド部材を有する。特に、カッターヘッドは、少なくとも１つの第１のカッターヘッド部材と、それと取り外し可能に結合することができる少なくとも１つの第２のカッターヘッド部材とを含む。特に、髪切刃は、カッターヘッド部材の間に収容されることができる。
【００３８】
特に、少なくとも１つの接続部が、カッターヘッド部材から突出する。接続部は、特に、少なくとも部分的に円錐形である。特に、第１のカッターヘッド部材の接続部は、第２のカッターヘッド部材の接続部の下に押し込むことができ、またその逆もでき、その結果、接続部を互いにくさび状にすることができ、髪切刃をカッターヘッド部材の間に固定することができる。特に、接続部は、互いにくさび状に固定することができ、好ましくは、セルフロック式にくさび状に固定することができる。このカッターヘッドの実施形態は、髪切刃の振動および移動を確実に回避するために、髪切刃を特にしっかりと固定できる。これにより、特に良好なカットの効果が得られる。
【００３９】
他の接続装置または他の接続タイプも同様に可能である。例えば、カッターヘッド部材は、少なくとも１つのアンダーカットと係合する少なくとも１つの接続部を介して接続されてもよい。また、カッターヘッド部材は、少なくとも１つのヒンジ等を介して互いに回転可能に取り付けられてもよい。
【００４０】
特に、第１及び／又は第２のカッターヘッド部材には、カッターヘッドにグリップを固定するための少なくとも１つのグリップ収容部が設けられている。少なくとも１つの作業部は、特に、少なくとも１つのカッターヘッド部材に配置され、特に、好ましくは、両方のカッターヘッド部材に配置される。特に、それぞれの場合、少なくとも１つの凹部が両方のカッターヘッド部材に組み込まれている。組み合わされた２つのカッターヘッド部材の凹部は、特に、少なくとも１つの共用の作業部のために一緒に機能する。両方のカッターヘッド部材は、特に、長手方向面の位置合わせラインに対して同じ凹部を有する。特に、両方のカッターヘッド部材の幅は同じであるため、２つのカッターヘッド部材はカッターヘッドの長手方向面と同じ高さになる。
【００４１】
少なくとも１つのカッターヘッド部材、好ましくは両方のカッターヘッド部材は、少なくとも１つの載置面をそれぞれ備え、好ましくは２つの載置面をそれぞれ備えている。特に、カッターヘッド部材の載置面は、統合され、好ましくは一体的に、特に、１つの単一材料で作られる。カッターヘッド部材の載置面は、別々に構成されてもよい。
【００４２】
好ましくは、少なくとも１つのカッターヘッド部材、好ましくは両方カッターヘッド部材は、少なくとも１つの作業部を備え、好ましくはそれぞれ２つの作業部を備える。特に、各作業部は、カッターヘッド部材の各々に少なくとも１つの載置面を備えている。
【００４３】
調整ユニットは、特に、第１及び／又は第２のカッターヘッド部材上に配置される。特に、調整ユニットに対向する他のカッターヘッド部材の領域には、カッターヘッド部材が取り付けられたときに調整ユニットを収容する少なくとも１つの凹部が配置されている。
【００４４】
少なくとも１つの接続部、好ましくは両方の接続部は、特に髪切刃の凹部を少なくとも部分的に貫通している。これにより、特にコンパクトなカッターヘッドを実現している。この構成は、特に、カッターヘッド部材が互いに動作可能に結合されているときに得られる。好ましくは、少なくとも１つの接続部、特に好ましくは、両方の接続部が、髪切刃を位置合わせするための少なくとも１つの調整ユニットを提供する。したがって、髪切刃の位置合わせに接続部を同時に用いることができるため、特に有用である。特に、接続部の幅は、密着した配置を可能にするように、凹部の幅に適合している。
【００４５】
第１のカッターヘッド部材は、その側面に少なくとも１つの切欠部を有することが可能である。特に、第２のカッターヘッド部材の少なくとも１つの突起は、切欠部に係合する。切欠部が第２カッターヘッド部材に配置され、突起が第１カッターヘッド部材に配置されることも可能である。これにより、髪切刃を特にしっかりと固定することができる。突起は、特に少なくとも１つのバネ部材によって切欠部内に保持される。突起は、少なくとも１つのラグ及び／又はアンダーカットを有してもよく、これは、特に、切欠部内の少なくとも１つのアンダーカット及び／又はラグに係合する。カッターヘッド部材の側面は、特に作業部を有する長手方向面に対して横方向に配置される。特に、この切欠部は、グリップ収容部に隣接する側面に配置される。
【００４６】
全ての実施形態において、髪切刃のカット縁は、カッターヘッドの長手方向軸に対して０.５°〜６°の角度で配置されることが好ましい。この角度は、特に、髪切刃がカッターヘッド内に動作可能に収容されているときの角度である。２°〜４°の角度が好ましい。３°＋／−０.５°の角度が特に好ましい。また、０.１°〜１０°の角度でもよい。なお、カッターヘッドの長手方向軸に対して、カット縁を平行に配置してもよい。このような切刃の傾斜位置は、切削結果をさらに向上させるという利点を有する。
【００４７】
特に好ましくは、調節ユニットは、カッターヘッドの長手方向軸に対してこのような角度で配置されることが好ましい。これは、所望の傾斜位置が調整装置によって事前に決定できるという利点がある。カット縁の傾斜は、髪切刃の凹部を髪切刃に角度を付けて配置することでも実現できる。また、傾斜の角度は、調整ユニットと凹部との角度配列の組み合わせによって共に達成することもできる。た、髪切刃の凹部は、カット縁の長手方向軸に対してこのような角度で配置されてもよい。
【００４８】
長手方向面の位置合わせラインに対して直行して延びる線分は、作業部が最も窪んでいる谷点であって、髪切刃の上において載置面が最も深く位置する谷点と、髪切刃の上において載置面が最も高く位置する山点と、の間の髪切刃の平面に対して１２°〜２３°の角度となることができる。１６°〜１８°の角度が好ましく、特に好ましくは１７°の角度が特に好ましい。２１°の角度も有利であり、好ましい。また、線分に対して少なくとも１３°、最大２９°の角度も可能である。この構成は、良好なカット結果を達成すると同時に、谷点と山点との間の載置面の柔軟な設計が可能であるという利点を有する。特に、山点は高いところにある。
【００４９】
載置面は、少なくとも谷点と山点との間の部分において、髪切刃の平面に対して、特に１２°〜３０°、特に２０°〜２２°の角度となる。配置表面は、少なくとも谷点と山点点との間の部分において、髪切刃の平面に対して、１６°〜２６°、特に１８°〜２４°の角度でもよい。他の角度も同様に考えられる。
【００５０】
好ましくは、載置面は、谷点と山点との間で、特に線分に沿って、少なくとも２つの異なる角度で延在する。少なくとも２つの角度は、特に１２°から３０°の間にある。角度は、上述のように構成されるのが好ましい。角度は、載置面の湾曲形状によって提供されてもよい。また、載置面は直線状であってもよい。
【００５１】
載置面は、例えば、谷点と山点との間において、異なる角度、凸状、または曲がった形状で延在してもよい。例えば、載置面は、山点から最初に２０°〜２２°の角度、次いで、少なくとも例えば１２°〜１９°のより平坦な角度としてもよい。
【００５２】
有利な実施形態では、載置面は、少なくとも１つの第１の載置部と少なくとも１つの第２の載置部とを長手方向軸の後ろに有する。第１の載置部は、第２の載置部よりも露出したカット縁に近い位置に配置されている。第１の載置部は、特に、髪切刃の平面に対し、第２の載置部よりも大きな角度を示す。載置面のこのような分割は、カット縁に対する毛髪の特に目標とされた位置合わせを提供する。第１の載置部は、特に良好な切断角度を指定することができる。第２の載置部のより平坦な構成により、カッターヘッドはかなり狭くなり、したがって、より軽量で人間工学的に作られることができる。ただし、第１の載置部が第２の載置部よりも小さい角度を示すことも可能である。
【００５３】
第１の載置部は、特に１５°〜２９°、好ましくは１９°〜２３°の角度を示す。第２の載置部は、特に、１２°、１３°〜１５°または１８°の角度を示す。特に好ましくは、第２の載置部は、１２°〜１５°の角度を示す。第１の載置部は、好ましくは２１°＋／−１°、特に好ましくは２１°の角度を示す。第２の載置部は、特に、１４°〜１６°または１８°の角度を示す。角度は１７°または１８°とすることができる。第２の載置部は、好ましくは１５°＋／−１°、特に好ましくは１５°の角度を示す。第１及び／又は第２の載置部のこのような角度により、特になめらかできれいなカットが可能になり、同時に、ヘアカッターの人間工学が改善される。
【００５４】
好ましくは、第１の載置部は、載置面の幅の半分未満にわたって延在する。好ましくは、第２の載置部は、載置面の幅の半分以上にわたって延在する。第１の載置部は、特に、載置面および第２の載置部の幅の１／３未満にわたって、第２の載置部は、載置面の幅の２／３以上にわたって延在する。これらの載置部の延長部は、特に良好なカット結果を提供し、カッターヘッドを毛髪上で非常にスムーズに滑らせることを可能にする。第２の載置部は、作業部に隣接する長手方向の少なくとも一方の側で、カッターヘッドの広い側まで縦方向に延びることが可能である。
【００５５】
第１の載置部及び／又は第２の載置部は、少なくとも一部において、特に少なくとも作業部における露出したカット縁の領域において、ドーム状の形状を示すことが可能である。従って、毛は、カット縁に対して特に良好に配置され、カット縁に沿って誘導される。特に、第１及び／又は第２の載置部は、少なくとも１つの窪みが側面に生じるように、ドーム形状の内側に湾曲している。また、側面に少なくとも１つの隆起が生じるように、凸状の曲率を持たせることも可能である。また、第１及び／又は第２の載置部は、少なくとも部分的に湾曲した形容を有してもよい。屈曲部は、カット縁の長手方向及び／又は長手方向に対して横方向に配置されてもよい。第１及び／又は第２の載置部は、平面形状又は直線形状であってもよい。
【００５６】
少なくとも１つの第３の載置部を、作業部に隣接して長手方向の少なくとも１つの側に配置することが可能である。第３の載置部は、特に、カッターヘッドの実質的に斜めに延びる隆起部と、カッターヘッドの長手方向面の厚さが増す部分の間の部分において延在する。この隆起部は、特に、カッターヘッドの反対側の長手方向面に配置された２つの作業部を互いに分離している。このような載置部は、カッターヘッドに対する髪の配置を妨げることなく、カッターヘッドの反対側の長手方向面上に２つの作業部を配置することを特に容易にする。第３の載置部は、特に、髪切刃の平面に対して１２°から３０°の間の角度を示す。第３の載置部の角度は、第１及び／又は第２の載置部の角度よりも小さくてもよく、または等しくてもよい。また、第３の載置部の角度が、第１及び／又は第２の載置部の角度よりも大きいことも可能である。
【００５７】
好ましくは、カッターヘッドは、髪切刃のための少なくとも１つの受容面を有する。特に、髪切刃の少なくとも１つの側面のうちの１／４以上は、受容面に当接する。また、髪切刃が受容面上の複数の接触点に当接することも可能である。このような受容面は、カット中のブレードの振動や運動を確実に防止する。特に好ましくは、髪切刃の両側面の１／４以上が受容面に当接する。
【００５８】
カッターヘッドは、特に、このスポットにおいて髪切刃の側面を露出させるように、髪切刃の側面のうちの少なくとも１つから窪んだ少なくとも１つの凹部を備える。これにより、カット縁の特に有用な軽量化が可能となる。これは、金属材料のカット縁にとって特に有用である。好ましくは、少なくとも１つの凹部及び／又は少なくとも１つの受容面が、それぞれ、両方のカッターヘッド部材に設けられる。受容面及び凹部は、特に、カッターヘッド部材上で互いに対向して配置される。
【００５９】
受容面は、特に、作業部に隣接して配置される。凹部は、特に、作業部から離間して配置される。これは、髪を切る際にブレードにストレスがかかっている場合に、特にしっかりとブレードを収容するという利点がある。
【００６０】
グリップの長手方向軸は、髪切刃と一緒に１つの平面上に延在することが好ましい。これにより、ヘアカッターは特にバランスがとれ、人間工学に基づいたものとなる。この構成は、特に、髪切刃が収容されたヘアカッターの動作状態に関する。例えば、ヘアカッターは、１つの作業部から反対側の作業部に変更するために、約１８０°回転させるだけでよい。髪切刃のカット縁は、好ましくは、グリップの長手方向軸に対して斜めに位置する。また、カット縁は、グリップの長手方向軸に平行に配置されてもよい。
【００６１】
特に、作業部は、カット縁の長手方向面の半分よりも短い長さを示している。特に、作業部の長さは、長手方向面の長さの１／３以下、好ましくは１／４以下である。作動部の長さは、長手方向面の長さの１／５又は１／６よりも短くすることができる。
【００６２】
ブレード本体の位置合わせラインから始まる作業部の幅は、カッターヘッドの幅の半分未満、好ましくは１／４未満である。作業部の幅は、カッターヘッドの幅の１／５未満又は１／８未満としてもよい。また、より広い又はより平坦な作業部としてもよい。
【００６３】
特に、作動部は、長手方向面の１／３好ましくは１／４の位置に配置される。作業部は、長手方向面に沿った中央に配置されてもよい。
【００６４】
グリップ及びカッターヘッドは、少なくとも１つの共通のバランスポイントを有することが好ましい。バランスポイントは、特に、グリップ内に配置される。バランス点は、特に、ヘアカッターがバランスポイントに静止しているときに、平衡状態にあることを意味すると理解される。これにより、特に正確なハンドリングが可能になる。したがって、ヘアカッターは、手を疲れさせることなく、非常に正確かつ長時間、ガイドすることができる。したがって、カッターヘッドは、確実かつ迅速なトリミングを可能にするのに十分に重いものとすることができる。グリップのバランスポイントにより、ヘアカッターは、カット縁の重量にもかかわらず最適にバランスがとれているため、トップが重くなり過ぎない。
【００６５】
バランスポイントは、特に、カット縁に隣接する半分に配置され、好ましくは、カット縁に隣接するグリップの１／３の位置に配置される。バランスポイントはまた、カッターヘッド内に配置されてもよい。
【００６６】
好ましくは、少なくとも１つのカウンターウェイトが、グリップ及び／又はカッターヘッド内に収容されてもよい。これには多くの利点がある。従って、ユーザは、ヘアカッターのバランスを最適に取ることができ、例えば、意図された頂部の重さを設定したり、バランスポイントを設定したりすることができる。カッターヘッドは、例えば、エネルギー的で活発な切断を可能にする最小重量に設定されてもよい。小さな手を持つユーザは、１つ以上の釣合いおもりを取り外すことによって、重量を軽減することができる。
【００６７】
ヘアカッターは、特に、少なくとも１つのカウンターウェイトを備える。２つ以上のカウンターウェイトを備えることもできる。カウンターウェイトは、例えば、少なくとも１つの鉛のおもりとして形成されるか、少なくとも１つのそれを含む。これにより、重量が高くなり、寸法が小さくなる。他の材料も可能である。カウンターウェイトは、特に、グリップ及び／又はカッターヘッドに挿入され、例えばねじ込まれることができる。グリップ及び／又はカッターヘッドは、特に、少なくとも部分的に中空に構成される。グリップ及び／又はカッターヘッドは、カウンターウェイトを収容することができる少なくとも部分的に囲まれた空洞を有してもよい。空洞は閉じることができるのが好ましい。カウンターウェイトは、特に２つのカッターヘッド部材の間に収容することができる。
【００６８】
グリップとカッターヘッドは、実質的に同じ重量、特に同じ重量を示すことが可能である。グリップとカッターヘッドは、＋／−５ｇ、好ましくは＋／−１ｇの偏差で、特に同じ重量を示す。相互の偏差は、特に２５%未満、好ましくは１５%未満、特に好ましくは１０%未満である。偏差は大きくなる可能性がある。少なくとも１つのカウンターウェイトを使用することにより、特に、ユーザに合った重量差を設定することができる。例えば、最大５０％、または最大１００％または１００％を超える重量差は、カウンターウェイトによって設定されてもよい。
【００６９】
例えば、グリップの重量は４０ｇ＋／−５ｇ、カット縁の重量は４０g＋／−５ｇである。これらの重りに加えて、少なくとも１つのカウンターウェイトを追加又は削除することができる。
【００７０】
本発明による髪切刃は、特に、先行する請求項のいずれかに記載のヘアカッター用に提供される。髪切刃は、少なくとも１つのカット縁、好ましくは少なくとも２つのカット縁と、髪切刃をカッターヘッドに位置合わせするための調節装置用の少なくとも１つの凹部とを含む。髪切刃の幅は、髪切刃の最大の長さの半分に対応する。
【００７１】
この幅と長さの比は、本発明の髪切刃を、角度のある配置表面を有するカッターヘッドに挿入するのを容易にする。
【００７２】
髪切刃は、特に、ヘアカッターを参照して説明したように構成される。
【００７３】
好ましくは、髪切刃は、長方形の外側輪郭を示し、特に丸みを帯びた角を有する。この形状は、ブレードと、そのための受容部とを、特定の一貫性で、かつコスト効率よく、カッターヘッド内に製造することを可能にする。これにより、カッターヘッド内のブレードを僅かな遊びで収容することができる。また、角は、長方形または丸みのないものであってもよい。
【００７４】
凹部は、長方形の長孔として構成されることが特に好ましい。長方形の穴には、特に長方形の角がある。これにより、調節ユニットにしっかりと固定され、密着することができる。調節ユニットは、特に、整合する長方形のコーナーまたはエッジを有するように構成される。
【００７５】
凹部は、髪切刃の幅の２０％を超えて延在することが好ましい。また、凹部は、髪切刃の長さの７５％を超えて延在することが好ましい。好ましくは、凹部は、幅の２５％以上及び／又は長さの８５％以上にわたって延在する。これにより、髪切刃がカッターヘッド又は調節ユニットに特にしっかりと固定される。さらに、この凹部は、この目的に必要な調節ユニットを特に経済的で特に高い精度で製造できる。
【００７６】
特に、提供されるすべての作業部に共通の髪切刃が提供される。髪切刃は、例えば、２つの対向するカット縁が装着されており、対向する作業部にそれぞれカット縁が配置されている。
【００７７】
髪切刃は、特に、その長手方向面に、特に少なくとも２つのカット縁を有している。角度に関する情報は、中程度の角度を参照できる。これは、特に、載置面が２つ以上の載置面を備え、及び／又はドーム状または湾曲した形状を示す実施形態の場合である。平均角度は、例えば、谷点と山点との間の線分を参照する。
【００７８】
グリップは、特に、細長いシャフトを備えるか、または細長いシャフトとして構成される。
【００７９】
本発明のさらなる利点および特徴は、添付の図面を参照して以下に説明される例示的な実施形態から得ることができる。
【図面の簡単な説明】
【００８０】
【図１】本発明のヘアカッターの概略を示す斜視図である。
【図２】ヘアカッターのカッターヘッド部材の概略を示す側面図である。
【図３】カッターヘッド部材の概略を示す反対側の図である。
【図４】カッターヘッド部材の、図３の切断線Ａ−Ａにおける断面を示す概略図である。
【図５】カッターヘッド部材の正面を示す概略図である。
【図６】カッターヘッド部材の、図３の切断線Ｂ−Ｂにおける断面を示す概略図である。
【図７】カッターヘッド部材の背面を示す概略図である。
【図８】ヘアカッターの他のカッターヘッド部材の側面を示す概略図である。
【図９】他のカッターヘッド部材の他方の側面を示す概略図である。
【図１０】カッターヘッド部材の、図９の切断線Ａ−Ａにおける断面を示す概略図である。
【図１１】カッターヘッド部材の背面を示す概略図である。
【図１２】カッターヘッド部材の、図９の切断線Ｂ−Ｂにおける断面を示す概略図である。
【図１３】カッターヘッド部材の断面の簡略図である。
【図１４】刃側面図における髪切刃の側面の簡略図である。
【発明を実施するための形態】
【００８１】
図１は、本発明によるヘアカッター１を示しており、このヘアカッター１は、カッターヘッド２と、その中に収容された髪切刃４とを有している。グリップ１０は、グリップ１０の長手方向の軸とカッターヘッド２の長手方向の軸とが同じ方向を向くようにカッターヘッド２に取り付けられている。
【００８２】
このカッターヘッド２は、互いにオフセットした２つの対向する作業部３を備え、作業部３は、長手方向面１２の位置合わせライン１２０に対して窪んでいる。この髪切刃４は、２つの対向するカット縁１４を備え、カット縁１４それぞれは１つの作業部のみから到達し得る。作業部３の凹部は、屈曲して構成されている。
【００８３】
カッターヘッド２は、２つのカッターヘッド部材１２１、１２２を備え、その間に髪切刃４が収容される。第１のカッターヘッド部材１２１は、グリップ１０に結合されている。第２のカッターヘッド部材１２２は、カバーとして機能する第１のカッターヘッド部材１２１に取り付けられる。２つのカッターヘッド部材１２１、１２２は、長手方向面１２に対して同一平面上にある。
【００８４】
カッターヘッド部材１２１、１２２のそれぞれには、カッターヘッド２の側面２２、３２が設けられている。各側面２２、３２には、実質的に斜めの隆起部５２が配置されており、２つの対向する作業部３を互いに分離している。
【００８５】
カッターヘッド２は、カッターヘッド２に沿って規定された角度で、髪のカット中に髪をガイドするガイド部５を備える。ガイド部５は、各作業部３に設けられた２つの載置面１５を有している。したがって、各作業部３は、それぞれ側面２２,３２に１つの載置面１５を備えている。側面２２上の載置面１５は、この図には示されない。
【００８６】
共通の側面２２、３２に配置された２つの載置面１５は、隆起部５２によって互いに分離されている。
【００８７】
ガイド部５は、カッターヘッド２と一体に構成されている。したがって、カッターヘッド２またはそのカッターヘッド部材１２１、１２２のくさび形状から載置面１５が得られる。
【００８８】
グリップ１０およびカッターヘッド２は、グリップ１０内に配置された１つの共通のバランスポイント２０を与える。グリップ１０には、バランスウェイト９を収容できる中空スペースが設けられている。これは、例えば、カッターヘッド２と同じ重量を有するグリップ１０を得るような重量を有する鉛ウェイト９である。そして、ヘアカッター１は、バランスポイント２０において静止すると、平衡状態又は水平状態となる。
【００８９】
図２は、側面２２から見た第１のカッターヘッド部材１２１を示している。カッターヘッド２の長手方向軸４２は、一点鎖線として示されている。側面１２３は、長手方向軸４２に対して横方向に延びる。グリップ収容部１１は、側面１２３の一方に配置される。
【００９０】
載置面１５は、それぞれ、３つの載置部１５１、１５２、１５３を備える。第１の載置部１５１は、作業部３の領域に配置されている。第２の載置部１５２は、長手方向軸４２を横切るように、後方に配置される。第３の載置部１５３は、２つの載置部１５１、１５２に横方向に隣接して長手方向軸４２の方向に配置されている。カッターヘッド部材１２１の厚さは、第３の載置部１５３の領域において長手方向面１２に沿って厚くなっている。
【００９１】
第１の載置部１５１は、凹状でドーム状であり、作業部３の領域に凹部を設けるようになっている。第１の載置部１５１は、図示しないが、第２の載置部１５２よりも髪切刃４の平面に対して大きな角度を示している。第１の載置部１５１は、載置面１５全体の幅の半分以下に亘って延びている。
【００９２】
図３は、側面２２と反対側のカッターヘッド部材１２１の側面を示す。この側面では、髪切刃４を位置合わせするための調整装置６と、髪切刃４の第２のカッターヘッド部材１２２と受容面６２とを取り付けるための結合部７と、が特に明確に認識できる。
【００９３】
作業部３の各々に隣接して設けられた受容面６２は、作業時に髪切刃４が接触する位置に設けられている。軽量化のためにそれぞれ１つの凹部７２が、カッターヘッド２の受容面６２に隣接する長手方向軸４２の方向において、加工される。
【００９４】
調整装置６は、３つの隆起部６６が設けられたカッターヘッド部材１２１において、調整ユニット２６を備える。さらに、調整装置６は、凹部１６を髪切刃４内に備え、凹部１６については、図１４を参照してより詳細に説明される。隆起部６６は、髪切刃の長手方向及び長手方向に対して横方向への移動を禁止するように、凹部１６と係合する。
【００９５】
さらに、調整装置６は、髪切刃４の外形に適合する、カッターヘッド部材１２１において窪んだ、受容部８６を備える。受容部８６の深さは、少なくとも髪切刃４の厚さにほぼ対応する。
【００９６】
調整ユニット２６は、３つの隆起部６６に対し、カッターヘッド２の長手方向軸４２に対して角度または傾斜をつけて配置される。受容部８６はまた、角度が制御されている。したがって、挿入された髪切刃４は、そのカット縁１４によって、カッターヘッド２の長手方向面１２に対してそれぞれ長手方向軸４２に対して規定された角度で配置される。傾斜位置の角度は例えば３°である。
【００９７】
結合部７は、図９に示す、他方のカッターヘッド部材１２２の接続部２７と共に、くさび形状をなす接続部１７を含む。この目的のために、接続部１７、２７は、くさび形または円錐形を示す。
【００９８】
髪切刃４をクランプするために、カバー１２２は、長手方向に第１のカッターヘッド部材１２１において、長手方向に押し付けられ、その結果、接続部１７は他の接続部２７の下に係合し、逆も同様である。２つのカッターヘッド部材１２１、１２２は、髪切刃４をしっかりとクランプするように、互いに近づけられる。これにより、カット時の髪切刃４の振動を効果的に防止することができる。
【００９９】
接続部１７は、調整装置６の隆起部６６と同時に機能する。この目的のために、接続部１７は、髪切刃４の凹部１６の幅に適応する幅を有することが好ましい。
【０１００】
図４は、第１のカッターヘッド部材１２１の、図３のＡ−Ａ線の断面を示す。結合部７の切欠部３７は、図８に示す第２のカッターヘッド部材１２２の突起４７を収容する。突起４７は、カバー１２２が固定されると切欠部３７に挿入され、接続部１７、２７は互いにくさびで留められる。
【０１０１】
切欠部３７には、切欠部３７からの突起４７の飛び出しを防ぐばね部材（詳細には図示せず）を設けてもよい。この目的のために、ばね部材は、好ましくは、突起４７の後方に係合する。
【０１０２】
図５は、側面１２３の正面からカッターヘッド部材１２１を見た図である。
【０１０３】
図６は、カッターヘッド部材１２１の、図３のＢ−Ｂ線の断面図である。
【０１０４】
図７は、カッターヘッド部材１２１の背面図であり、グリップ収容部１１を示している。この図は、髪切刃４がカッターヘッド２内に収容された状態で、グリップ１０の長手方向軸線が１つの平面内に延びていることを特に示している。
【０１０５】
図８は、側面３２において、第２のカッターヘッド部材１２２または第１のカッターヘッド部材１２１のカバーを示す。第２のカッターヘッド部材１２２は、第１のカッターヘッド部材１２１と同様に構成され、また、互いに角度を付けて配置された２つの作業部を有するため、第２のカッターヘッド部材１２２は、第１のカッターヘッド部材１２１の側の半分を示す。また、作業部３及び載置面１５は、第１のカッターヘッド部材１２１と同様に構成されている。
【０１０６】
側面１２３において、カッターヘッド部材１２２は、２つのカッターヘッド部材１２１、１２２が一緒にされた状態で、切欠部３７に挿入される突起４７を有する。
【０１０７】
図９は、髪切刃４に対向するカッターヘッド部材１２２の側面を示す。このカッターヘッド部材１２２にも、作業部３の領域に髪切刃４の受容面６２が設けられている。長手方向においてこれに隣接し、かつ長手方向面１２の反対側に、髪切刃４が露出する凹部７２が設けられている。カバーとなるカッターヘッド部材１２２には、グリップ収容部１１が設けられていない。
【０１０８】
結合部７の接続部２７は、他のカッターヘッド部材１２１の接続部１７と同様に構成され、調整装置６のための隆起部６６として機能する。第２のカッターヘッド部材１２２の調整装置６は、２つの調整溝７６を備え、２つのカッターヘッド部材１２１、１２２が互いに結合されると、調整溝７６において、第１のカッターヘッド部材１２１の２つの外側の隆起部６６が係合する。
【０１０９】
図１０は、カッターヘッド部材１２２を図９のＡ−Ａ線の断面図である。第１のカッターヘッド部材１２１の接続部１７に対応する接続部２７と、調整溝７６とが特に明確に認識できる。特に、アンダーカットを有するように構成された突起４７も明確に認識できる。
【０１１０】
図１１は、背面図の第２のカッターヘッド部材１２２の背面図であり、突起４７を備えた側面１２３を示す。
【０１１１】
図１２は、図９のＢ−Ｂ線の断面図であり、第２のカッターヘッド部材１２２を示す。
【０１１２】
図１３は、本発明のヘアカッター１のカッターヘッド２と、その中に収容された髪切刃４の簡単な図を示す。カッターヘッド２の断面は、作業部３の最大凹部の領域に示されている。
【０１１３】
カッターヘッド２の２つの側面２２,３２は、それぞれ第１の載置部１５１および第２の載置部１５２を備えて構成されている。側面２２、３２の各々は、カッターヘッド部材１２１、１２２によって提供される。第１の載置部１５１は、第２の載置部１５２よりも狭い構成である。
【０１１４】
第１の載置部１５１は、髪切刃４の平面に対して角度３０２で配置される第２の載置部１５２よりも、髪切刃４の平面に対してより大きな角度３０１で伸びる。第１の載置部１５１は、載置面１５または第１の載置部１５１において、髪切刃４の最も深い位置にある谷点２０１から伸びる。また、作業部３は、図示の谷点２０１で最も深く凹んでいる。そして、第１の載置部１５１は、第２の載置部１５２に移行する。第２の載置部１５２は、載置面１５または第２の載置部１５２において、髪切刃４から最も高いところに位置する山点２０２で終わる。
【０１１５】
第１の載置部１５１は、例えば２１°の角度３０１を有する。第２の載置部１５２は、例えば１５°の角度３０２を有する。
【０１１６】
ここに示されるヘアカッター１の実施形態においては、側面２２、３２は、それぞれの谷点２０１がそれぞれの山点２０２と特定の関係になるよう設計されている。この場合、カッターヘッド２の長手方向面１２または位置合わせライン１２０に直角に延びる経路は、谷点２０１と山点２０２との間に所定の角度３０３で配置される。角度は、例えば１７°である。
【０１１７】
角度３０１、３０２、３０３により、載置面１５が得られ、これらに沿って、案内される毛髪の特に好ましい切断角度が可能になり、カッターヘッド２のコンパクトな形状も可能になる。
【０１１８】
図１４は、本発明の髪切刃４の上面図を示す。髪切刃４には、２つの対向するカット縁１４が設けられている。この髪切刃４は、丸みを帯びた角を有する長方形である。
【０１１９】
髪切刃４の側面４４には、長方形の長穴３６として構成された凹部１６が形成されている。長穴３６は、長方形または丸みのないコーナーを示す。長穴３６の長さ４６は、カッターヘッド２の調整装置６の２つの外側の隆起部６６の間の長さに対応する。長穴３６の幅５６は、カッターヘッド２の調整ユニット２６及び隆起部６６の幅に対応する。
【０１２０】
髪切刃４の幅２４は、長さ３４に対し、１:２.２９の比率を示す。幅２４は、例えば１９ｍｍである。長さ３４は、例えば４３.５ｍｍである。髪切刃４の厚さは例えば０.１ｍｍである。窪み部（１６）の幅２４は５ｍｍであり、長さ（３４）は３７.２ｍｍである。
【０１２１】
髪切刃４のこれらの寸法は、上述のヘアカッター１に特に適している。なぜなら、これらの寸法は、カッターヘッド２が大きくなり過ぎることなく、載置面１５に対して特に有利な角度をもたらすからである。
【符号の説明】
【０１２２】
１  ヘアカッター
２  カッターヘッド
３  作業部
４  髪切刃
５  ガイド部
６  調整装置
７  結合部
９  バランスウェイト
１０  グリップ
１１  グリップ収容部
１２  長手方向面
１４  カット縁
１５  載置面
１６  凹部
１７  接続部
２０  バランスポイント
２２  側面
２４  幅
２６  調整ユニット
２７  接続部
３２  側面
３４  長さ
３６  長穴
３７  切欠部
４２  長手方向軸
４４  側面
４６  長さ
４７  突起
５２  仰角
５６  幅
６２  受容面
６６  隆起部
７２  凹部
７６  調整溝
８６  受容部
１２０  位置合わせライン
１２１  カッターヘッド部材
１２２  カッターヘッド部材
１２３  側面
１５１  載置部
１５２  載置部
１５３  載置部
２００  線分
２０１  谷点
２０２  山点
３０１  角度
３０２  角度
３０３  角度
【図１】
2020512174.tif 000003
【図２】
2020512174.tif 000004
【図３】
2020512174.tif 000005
【図４】
2020512174.tif 000006
【図５】
2020512174.tif 000007
【図６】
2020512174.tif 000008
【図７】
2020512174.tif 000009
【図８】
2020512174.tif 000010
【図９】
2020512174.tif 000011
【図１０】
2020512174.tif 000012
【図１１】
2020512174.tif 000013
【図１２】
2020512174.tif 000014
【図１３】
2020512174.tif 000015
【図１４】
2020512174.tif 000016
【国際調査報告】
2020512174.tif 000017
2020512174.tif 000018
2020512174.tif 000019
2020512174.tif 000020
2020512174.tif 000021
2020512174.tif 000022